(57)【要約】【課題】カメラモジュールの実装スペースに制約がある環境下で、充分な電磁シールド機能を発揮し得る無線通信装置を提供すること。【解決手段】装置筐体に内蔵された撮像装置を備える無線通信装置であって、装置筐体の内部に配設され、表面に撮像装置を搭載するための撮像装置搭載部を形成すると共に、裏面に接地電位のグランド接点部を有する実装基板と、グランド接点部を介して実装基板とグランド接続され、実装基板の裏面側であって、撮像装置搭載部の下方位置における装置筐体の内面に配設されるシールド板金とを備える。【選択図】        図４
2010130101.tif 000002
【特許請求の範囲】
【請求項１】
装置筐体に内蔵された撮像装置を備える無線通信装置であって、
前記装置筐体の内部に配設され、表面に前記撮像装置を搭載するための撮像装置搭載部を形成すると共に、裏面に接地電位のグランド接点部を有する実装基板と、
前記グランド接点部を介して前記実装基板とグランド接続され、前記実装基板の裏面側であって、前記撮像装置搭載部の下方位置における前記装置筐体の内面に配設されるシールド板金と
を備えることを特徴とする無線通信装置。
【請求項２】
前記装置筐体は、
前記装置筐体の外側前面を覆う前面パネルと、
前記撮像装置搭載部に搭載された前記撮像装置の一部を、前記装置筐体の外側へ突出させる開口部と、
前記前面パネルの裏面に形成され、前記開口部から突出した前記撮像装置の一部を吸収する凹部と
を備えることを特徴とする請求項１に記載の無線通信装置。
【請求項３】
前記実装基板は、
前記撮像装置搭載部と前記撮像装置の底部との間に介在される底上げ部品を備えることを特徴とする請求項１又は２に記載の無線通信装置。
【請求項４】
前記開口部から突出した前記撮像装置の一部と前記凹部との間に介在される緩衝部材をさらに備えることを特徴とする請求項２又は３に記載の無線通信装置。
【請求項５】
データ送受信用のアンテナをさらに備え、
前記実装基板は、前記撮像装置を前記撮像装置搭載部に搭載することにより、前記アンテナと離れる方向に、前記撮像装置を嵩上げし、
前記シールド板金は、前記実装基板の裏面側であって、前記撮像装置搭載部の下方位置における前記装置筐体の内面に配設されることにより、前記撮像装置から前記アンテナに向かう電磁ノイズを遮断する
ことを特徴とする請求項１〜４のいずれか１つに記載の無線通信装置。
【発明の詳細な説明】
【技術分野】
【０００１】
この発明は、無線通信装置に関する。例えば、カメラモジュールの実装スペースに制約がある環境下で、充分な電磁シールド機能を発揮し得る無線通信装置に関する。
【背景技術】
【０００２】
近年、無線通信装置の一種である携帯電話機として、ＣＣＤ等の固体撮像素子と対物レンズとを一体化した撮像装置であるカメラモジュールを装置筐体内に組付けた、いわゆるカメラ付き携帯電話機が広く普及している（例えば、特許文献１参照）。
【０００３】
かかる無線通信装置では、より一層の小型化・薄肉化が要求されており、これに伴って、電磁ノイズによる問題が深刻化してきている。すなわち、無線通信装置がカメラ付き携帯電話機である場合、装置全体を小型化・薄肉化するほど、装置内蔵のカメラモジュールとアンテナとが近接する。一般に、カメラモジュールは、動作時に電磁ノイズを放射する。カメラモジュールから放射される電磁ノイズは、カメラモジュールの近傍に配置されたアンテナの受信感度を低下させる一要因となる。
【０００４】
このため、カメラモジュールの装置筐体内への組付けに際して、電磁ノイズ対策を施すことが一般に行われている。図５及び図６を参照して、電磁ノイズ対策を施した従来のカメラモジュールの組付け構造について説明する。図５は、従来のカメラ付き携帯電話機におけるカメラモジュールの組付け構造の一例を示す外観斜視図であり、図６は、図５におけるＡ−Ａ線部分の断面図である。
【０００５】
図５及び図６に示すように、従来のカメラモジュールの組付け構造は、内部にアンテナ１１２を搭載したキー側の装置筐体である固定側筐体１０２と、内部にカメラモジュール１１４を搭載した表示部側の装置筐体である可動側筐体１０３とをスライド構造により開閉自在に連結している。なお、図５及び図６では、カメラ付き携帯電話機における可動側筐体１０３内のカメラモジュール１１４付近の構造を示している。また、図５では、可動側筐体１０３の内部の構造を明らかにするため、可動側筐体１０３の一部を省略して示している。
【０００６】
図５及び図６に示すように、可動側筐体１０３は、閉状態で固定側筐体１０２と対向する可動側リアケース１１６と、可動側リアケース１１６に組付けられ、ＬＣＤホルダ１１８に保持されたＬＣＤ（液晶表示装置）１２０が搭載される可動側フロントケース１２２と、可動側フロントケース１２２の外側前面を覆う前面パネル１２４とを有している。可動側リアケース１１６の内部には、種々の電子チップ１２５を実装するための実装基板１２６が配設されている。
【０００７】
ここで、電磁ノイズの発生源となるカメラモジュール１１４は、シールド板金１２８を介して実装基板１２６に組付け固定されている。カメラモジュール１１４は、実装基板１２６との電気的接続を確保するためのフレキシブルケーブル１１４ａを底部に備えており、このフレキシブルケーブル１１４ａをシールド板金１２８の外側へ引き出して、実装基板１２６の裏側に引き回している。また、シールド板金１２８は、カメラモジュール１１４の外周面を覆った状態で、グランド端子部１２８ａを介して実装基板１２６の有する接地電位のグランド接点部にグランド接続されている。これにより、シールド板金１２８は、接地電位となり、電磁シールド機能を発現する。なお、図６に示す１３０は、可動側フロントケース１２２とシールド板金１２８との間に介在されるクッション部材である。
【０００８】
このように、従来のカメラ付き携帯電話機では、カメラモジュール１１４の外周面を覆うシールド板金１２８を介して、カメラモジュール１１４を実装基板１２６に組付け固定することにより、カメラモジュール１１４から放射される電磁ノイズをシールド板金１２８により遮断するようにしている。
【０００９】
【特許文献１】特開２００７−１７８５４１号公報
【発明の開示】
【発明が解決しようとする課題】
【００１０】
しかしながら、従来の構造では、シールド板金１２８の外側へ引き出されたフレキシブルケーブル１１４ａからも電磁ノイズが放射されており、この電磁ノイズがアンテナ１１２の受信感度を低下させることがあるという問題があった。
【００１１】
すなわち、従来の構造では、カメラモジュール１１４の外周面をシールド板金１２８で覆っていることから、シールド板金１２８の厚み分だけ、カメラモジュール１１４の実装スペースが増大している。そして、カメラモジュール１１４の実装スペースの増大を吸収するため、実装基板１２６に切欠部１２６ａを設け、この切欠部１２６ａを通して、カメラモジュール１１４を、シールド板金１２８とともに、実装基板１２６の表面よりも下方となるように配置していた。かかる構成のため、スライド構造の閉状態で、カメラモジュール１１４と、固定側筐体１０２内に搭載されたアンテナ１１２との間の距離Ｌ１が短くなる。特に、カメラモジュール１１４における上述のフレキシブルケーブル１１４ａとアンテナ１１２との間の距離が短くなる。その結果、カメラモジュール１１４における上述のフレキシブルケーブル１１４ａから放射される電磁ノイズが、アンテナ１１２の受信感度を低下させることがあった。なお、固定側筐体１０２と可動側筐体１０３とを折り畳み構造により連結した場合も、上述したスライド構造と同様の問題が発生する恐れがある。
【００１２】
開示の技術は、上述した従来技術による問題点を解消するためになされたものであり、カメラモジュールの実装スペースに制約がある環境下で、充分な電磁シールド機能を発揮し得る無線通信装置を提供することを目的とする。
【課題を解決するための手段】
【００１３】
上述した課題を解決し、目的を達成するため、本願の開示する無線通信装置は、一つの態様において、装置筐体に内蔵された撮像装置を備える無線通信装置であって、前記装置筐体の内部に配設され、表面に前記撮像装置を搭載するための撮像装置搭載部を形成すると共に、裏面に接地電位のグランド接点部を有する実装基板と、前記グランド接点部を介して前記実装基板とグランド接続され、前記実装基板の裏面側であって、前記撮像装置搭載部の下方位置における前記装置筐体の内面に配設されるシールド板金とを備える。
【００１４】
この態様によれば、カメラモジュールの実装スペースに制約がある環境下で、充分な電磁シールド機能を発揮し得る。
【発明の効果】
【００１５】
本願の開示する無線通信装置の一つの態様によれば、カメラモジュールの実装スペースに制約がある環境下で、カメラモジュールの外周面をシールド板金で覆うことなく、充分な電磁シールド機能を発揮し得るという効果を奏する。
【発明を実施するための最良の形態】
【００１６】
以下に添付図面を参照して、本願の開示する無線通信装置の好適な実施の形態を詳細に説明する。
【実施例】
【００１７】
本実施例では、撮像装置としてカメラモジュールを用いるものであり、無線通信装置としてカメラ付き携帯電話機への適用例について説明する。図１は、本実施例に係るカメラ付き携帯電話機の外観斜視図であり、図２は、図１に示すカメラ付き携帯電話機におけるカメラモジュールの組付け構造の一例を示す外観斜視図であり、図３は、図１に示すカメラ付き携帯電話機の備えた可動側リアケースを示す外観斜視図であり、図４は、図１におけるＢ−Ｂ線部分の断面図である。
【００１８】
図１に示すように、本実施例に係るカメラ付き携帯電話機は、各種キー類を備える装置筐体である固定側筐体２と、表示部側となる装置筐体である可動側筐体３とをスライド構造により開閉自在に連結して構成されている。
【００１９】
図２及び図４は、内部にアンテナ１２を搭載したキー側の固定側筐体２と、内部にカメラモジュール１４を搭載した表示部側の可動側筐体３とが連結されたカメラ付き携帯電話機における可動側筐体３におけるカメラモジュール１４付近の構造を示している。なお、図２では、可動側筐体３の内部の構造を明らかにするため、可動側筐体３の一部を省略して示している。
【００２０】
図２及び図４に示すように、可動側筐体３は、閉状態で固定側筐体２と対向する可動側リアケース１６と、可動側リアケース１６に組み付けられ、ＬＣＤホルダ１８に保持されたＬＣＤ２０が搭載される可動側フロントケース２２とを有している。
【００２１】
可動側リアケース１６の内部には、種々の電子チップ２５を実装するための実装基板２６が、可動側リアケース１６の底面に形成されたリブ１７に支承された状態で配設されている。実装基板２６は、セラミック等の電気的絶縁性を有する材料により形成されており、固定側筐体２内に搭載されたアンテナ１２側の表面に、撮像装置としてのカメラモジュール１４を搭載するための撮像装置搭載部である平坦部２６ａを形成している。実装基板２６は、カメラモジュール１４を平坦部２６ａに搭載することにより、カメラモジュール１４の底面部側から放射される電磁ノイズを遮断すると共に、固定側筐体２内に搭載されたアンテナ１２と離れる方向に、実装基板２６の厚み分だけ、カメラモジュール１４を嵩上げしている。
【００２２】
また、実装基板２６は、固定側筐体２内に搭載されたアンテナ１２側の裏面に、凸状に形成された接地電位のグランド接点部であるグランド突起２７を有している。
【００２３】
カメラモジュール１４は、ＣＣＤ等の固体撮像素子と対物レンズとを一体化したカメラＩＣ（撮像装置ＩＣ）を、他のチップ部品とともに基板上に実装し、実装基板２６側との電気的接続を確保するためのフレキシブルケーブル１４ａを底面側から側方へ引き出し、実装基板２６の裏側に引き回している。
【００２４】
実装基板２６の裏面側であって、実装基板２６の平坦部２６ａの下方位置における可動側リアケース１６の内面には、図３及び図４に示すように、平板状のシールド板金２８が配設されている。シールド板金２８は、電気的導電性を有する材料、例えば銅板またはステンレス板により形成された板金構造体であり、実装基板２６側の表面にグランド接点部２９を形成している。シールド板金２８のグランド接点部２９は、リブ１７に支承された状態の実装基板２６における接地電位のグランド突起２７と接触する。実装基板２６における接地電位のグランド突起２７との接触により、シールド板金２８は接地電位に維持される。
【００２５】
また、実装基板２６は、平坦部２６ａとカメラモジュール１４の底部との間に介在されるように、平坦部２６ａ上に貼付け等により取り付けられたスポンジ又はゴム等の電気的絶縁性を有する緩衝部材からなる底上げ部品２６ｂを備えている。底上げ部品２６ｂは、カメラモジュール１４の底部側から放射される電磁ノイズを確実に遮断すると共に、固定側筐体２内に搭載されたアンテナ１２と離れる方向に、底上げ部品２６ｂの厚み分だけ、カメラモジュール１４を嵩上げしている。
【００２６】
一方、可動側フロントケース２２は、可動側フロントケース２２の外側前面を覆う前面パネル２４と、実装基板２６の平坦部２６ａに搭載されたカメラモジュール１４の一部を、可動側フロントケース２２の外側へ突出させる開口部２２ａと、前面パネル２４の裏面に形成され、可動側フロントケース２２の開口部２２ａから突出したカメラモジュール１４の一部を吸収する凹部２４ａとを備える。凹部２４ａは、実装基板２６の平坦部２６ａ及び底上げ部品２６ｂの厚み分だけ嵩上げされたカメラモジュール１４の一部を吸収するものであり、カメラモジュール１４とアンテナ１２とをより一層引き離すものである。
【００２７】
さらに、本実施例では、可動側フロントケース２２の開口部２２ａから突出したカメラモジュール１４の一部と、前面パネル２４の凹部２４ａとの間に介在され、ゴム等の電気的絶縁性を有する緩衝部材３０を備えている。緩衝部材３０は、機械的衝撃に対する緩衝効果を持たせてカメラモジュール１４を前面パネル２４の凹部２４ａに押し当て固定するためのものである。
【００２８】
このように、本実施例では、実装基板２６の平坦部２６ａにカメラモジュール１４を搭載して、カメラモジュール１４を嵩上げすることにより、カメラモジュール１４と固定側筐体２内に搭載されたアンテナ１２とを可及的に離反させている。つまり、カメラモジュール１４と固定側筐体２内に搭載されたアンテナ１２との間の距離Ｌ２が可及的に長くなるようにしている。
【００２９】
これと共に、本実施例では、電気的導電性を有する材料により形成されたシールド板金２８を、実装基板２６の裏面側であって、実装基板２６の平坦部２６ａの下方位置における可動側リアケース１６の内面に配設し、かつ、このシールド板金２８を接地電位に維持している。これにより、シールド板金２８において、電磁ノイズの発生源となり得るカメラモジュール１４の放射する電磁ノイズを抑制する電磁シールド機能が発揮される。
【００３０】
特に、シールド板金２８を、実装基板２６の裏面側に配設することにより、カメラモジュール１４の底部から引き出され、実装基板２６の裏側に引き回されているフレキシブルケーブル１４ａが放射する電磁ノイズを効果的に抑制している。
【００３１】
上述してきたように、本実施例では、可動側リアケース１６の内部に配設され、表面にカメラモジュール１４を搭載するための平坦部２６ａを形成すると共に、裏面に接地電位のグランド接点部２９を有する実装基板２６と、グランド接点部２９を介して実装基板２６とグランド接続され、実装基板２６の裏面側であって、実装基板２６の平坦部２６ａの下方位置における可動側リアケース１６の内面に配設されるシールド板金２８とを備える。
【００３２】
このため、カメラモジュール１４と固定側筐体２内に搭載されたアンテナ１２とを可及的に離反させることができ、カメラモジュール１４がアンテナ１２に与える電磁ノイズの影響を極力小さくすることができる。しかも、実装基板２６の平坦部２６ａ及び実装基板２６の裏面側に配設されたシールド板金２８の電磁シールド機能によって、カメラモジュール１４の外周を覆うような従来のシールド板金１２８（図５及び図６参照）を別途用意することなく、電磁ノイズの発生源となり得るカメラモジュール１４を効果的に電磁シールドすることができる。その結果、カメラモジュール１４の実装スペースに制約がある環境下であっても、充分な電磁シールド機能を発揮することができる。
【００３３】
また、本実施例では、可動側フロントケース２２は、可動側フロントケース２２の外側前面を覆う前面パネル２４と、実装基板２６の平坦部２６ａに搭載されたカメラモジュール１４の一部を、可動側フロントケース２２の外側へ突出させる開口部２２ａと、前面パネル２４に形成され、可動側フロントケース２２の開口部２２ａから突出したカメラモジュール１４の一部を吸収する凹部２４ａとを備える。
【００３４】
このため、実装基板２６の平坦部２６ａの厚み分だけ嵩上げされたカメラモジュール１４の一部を凹部２４ａによって吸収することができ、カメラモジュール１４とアンテナ１２とをより一層引き離すことができ、その結果、より強力な電磁シールド機能を得ることができる。
【００３５】
さらに、本実施例では、実装基板２６は、平坦部２６ａとカメラモジュール１４の底部との間に介在される底上げ部品２６ｂを備えるので、カメラモジュール１４の底部側から放射される電磁ノイズを確実に遮断すると共に、固定側筐体２内に搭載されたアンテナ１２と離れる方向に、底上げ部品２６ｂの厚み分だけ、カメラモジュール１４を嵩上げすることができ、その結果、より強力な電磁シールド機能を得ることができる。
【００３６】
さらに、本実施例では、可動側フロントケース２２の開口部２２ａから突出したカメラモジュール１４の一部と前面パネル２４の凹部２４ａとの間に介在される緩衝部材３０をさらに備えるので、機械的衝撃に対する緩衝効果を持たせてカメラモジュール１４を前面パネル２４の凹部２４ａに押し当て固定することができ、カメラモジュール１４の破損を確実に回避することができる。
【００３７】
また、本実施例では、前面パネル２４の裏面に、可動側フロントケース２２の開口部２２ａから突出したカメラモジュール１４の一部を吸収する凹部２４ａが形成されていることにより、カメラモジュール１４を前面パネル２４の表面側に可及的に近づけることができる。これにより、前面パネル２４の表面における入射光範囲が縮小されることから（図４及び図６参照）、前面パネル２４の表面に対するカメラ印刷窓枠を縮小することができ、意匠性を向上することができるという副次的な効果も期待できる。
【００３８】
さて、これまで本発明の実施例について説明したが、本発明は上述した実施例以外にも、上記特許請求の範囲に記載した技術的思想の範囲内において種々の異なる実施例にて実施されてもよいものである。
【００３９】
例えば、上記実施例では、無線通信装置が、カメラ付き携帯電話機である場合について説明したが、これに限らず、無線通信装置は、カメラ付きの他の通信機器であってもよい。
【００４０】
また、本実施例では、カメラ付き携帯電話機として、各種キー類を備える装置筐体である固定側筐体２と、表示部側となる装置筐体である可動側筐体３とをスライド構造により開閉自在に連結したものとして説明したが、これに限らず、固定側筐体２と可動側筐体３とをヒンジ等の折り畳み構造により開閉自在に連結したものであってもよく、スライド構造や折り畳み構造を持たないいわゆるストレートタイプの携帯電話機であってもよい。
【図面の簡単な説明】
【００４１】
【図１】本実施例に係るカメラ付き携帯電話機の外観斜視図である。
【図２】図１に示すカメラ付き携帯電話機におけるカメラモジュールの組付け構造の一例を示す外観斜視図である。
【図３】図１に示すカメラ付き携帯電話機の備えた可動側リアケースを示す外観斜視図である。
【図４】図１におけるＢ−Ｂ線部分の断面図である。
【図５】従来のカメラ付き携帯電話機におけるカメラモジュールの組付け構造の一例を示す外観斜視図である。
【図６】図５におけるＡ−Ａ線部分の断面図である。
【符号の説明】
【００４２】
３          可動側筐体（装置筐体）
１２        アンテナ
１４        カメラモジュール（撮像装置）
１６        可動側リアケース（装置筐体）
２２        可動側フロントケース（装置筐体）
２２ａ      開口部
２４        前面パネル
２４ａ      凹部
２６        実装基板
２６ａ      平坦部（撮像装置搭載部）
２６ｂ      底上げ部品
２７        グランド突起（グランド接点部）
２８        シールド板金
３０        緩衝部材
【図１】
2010130101.tif 000003
【図２】
2010130101.tif 000004
【図３】
2010130101.tif 000005
【図４】
2010130101.tif 000006
【図５】
2010130101.tif 000007
【図６】
2010130101.tif 000008